(57)【要約】【課題】  洗浄水吐出部の数量を減少させて洗浄水の配管を可及的単純にすると共に、特に強力なポンプ等の送出手段を用いることなくローラーを確実に洗浄できる洗浄装置を備えた感光材料処理装置を提供する。【解決手段】  洗浄手段10が、各感光材料搬送用ラックの上端液外部に配置される送り車の駆動軸３の周囲に設けられると共に、入口ローラー１及びスクイーズローラー２に向かって洗浄水を噴射するものとなされている。洗浄手段11は、駆動軸の外周を取り囲むように配置されたパイプ部11と、該パイプ部11の周面に設けられた入口ローラー及びスクイーズローラーに臨む少なくとも各１個の洗浄水噴出口21、22とを備えている。配管を通じて前記パイプ部11に送出された洗浄水が入口ローラー１及びスクイーズローラー２に向かって同時に噴射される。【選択図】  図２
2005181930.tif 000002
【特許請求の範囲】
【請求項１】
撮影済フィルム等の感光材料が、現像、漂白、定着、安定、乾燥等の各処理槽に配置された感光材料搬送用ラックを介して順次各処理槽に搬送されることにより、感光処理が行われると共に、感光材料搬送用ラックの入口ローラー及びスクイーズローラーを水によって洗浄する洗浄手段が設けられてなる感光材料処理装置において、
前記洗浄手段が、前記各感光材料搬送用ラックの上端液外部に配置される送り車の駆動軸の周囲に設けられると共に、前記入口ローラー及びスクイーズローラーに向かって洗浄水を噴射するものとなされていることを特徴とする感光材料処理装置。
【請求項２】
前記洗浄手段が、駆動軸の外周を取り囲むように配置されたパイプ部と、該パイプの周面に設けられた入口ローラー及びスクイーズローラーに臨む少なくとも各１個の洗浄水噴出口とを備え、配管を通じて前記パイプ部に送出された洗浄水が入口ローラー及びスクイーズローラーに向かって同時に噴射されるものとなされている請求項１に記載の感光材料処理装置。
【請求項３】
前記洗浄手段に対して一個の定量ポンプ又は電磁弁が設けられ、定量ポンプ又は電磁弁により前記パイプに送出された洗浄水が洗浄水噴出口から入口ローラー及びスクイーズローラーに向かって同時に噴射されるものとなされている請求項２に記載の感光材料処理装置。
【発明の詳細な説明】
【技術分野】
【０００１】
この発明は、自動現像機等の感光材料処理装置、特に処理ラックのローラーを洗浄するための洗浄手段を備えた感光材料処理装置に関する。
【背景技術】
【０００２】
自動現像機等の感光材料処理装置における処理ラックの入口ローラーやスクイーズローラーは、その周面にフィルム等の感光材料の表面に付着して処理液外に運び出された処理液が付着し、時間的経過と共に処理液の成分が結晶状に析出してこびり付くことがある。
【０００３】
このような結晶は、感光材料の表面に悪影響を及ぼすので、定期的に入口ローラーやスクイーズローラーを洗浄しておく必要があり、その洗浄に関して種々の提案がなされている。
【０００４】
そのような提案の中でも、特開２００１−１３６５６号の感光材料処理装置においては、処理ラックの上方に設けられた各ローラーに対応する吐出ノズルから洗浄水を対応するローラーに向けて吐出するようになされている。一方、特許第３４３６４２２号の感光材料処理装置においては、各ローラーに近接した位置に設けられた吐出ノズルから洗浄水を対応するローラーに向けて吐出するようになされている。
【特許文献１】特開２００１−１３６５６号公報（図３）
【特許文献２】特許第３４３６４２２号公報（図２、図８）
【発明の開示】
【発明が解決しようとする課題】
【０００５】
上記提案に係る洗浄装置は、いずれも各ローラーに対応する吐出ノズルが設けられているために、吐出ノズルへ洗浄水を分配するための配管がいささか煩瑣になる嫌いがある。      
【０００６】
また、吐出ノズルがローラーから処理ラックの上方に設けられて、ローラーから遠く離れている場合には、洗浄水を無駄なく確実にローラーに吹きかけるためには、吐出圧力を強くしなければならず、そのためにより強い力のポンプを必要とするものであった。
【０００７】
この発明は、このような課題を解決することを目的としてなされたもので、洗浄水吐出部の数量を減少させて洗浄水の配管を可及的単純にすると共に、特に強力なポンプ等の送出手段を用いることなくローラーを確実に洗浄できる洗浄装置を備えた感光材料処理装置を提供しようとするものである。
【課題を解決するための手段】
【０００８】
上記目的を達成するために、この発明に係る感光材料処理装置は、撮影済フィルム等の感光材料が、現像、漂白、定着、安定、乾燥等の各処理槽に配置された感光材料搬送用ラックを介して順次各処理槽に搬送されることにより、感光処理が行われると共に、感光材料搬送用ラックの入口ローラー及びスクイーズローラーを水によって洗浄する洗浄手段が設けられてなる感光材料処理装置において、前記洗浄手段が、前記各感光材料搬送用ラックの上端液外部に配置される送り車の駆動軸の周囲に設けられると共に、前記入口ローラー及びスクイーズローラーに向かって洗浄水を噴射するものとなされていることを特徴としている。
【０００９】
前記洗浄手段は、駆動軸の外周を取り囲むように配置されたパイプ部と、該パイプの周面に設けられた入口ローラー及びスクイーズローラーに臨む少なくとも各１個の洗浄水噴出口とを備え、定量ポンプから配管を通じて送出された洗浄水が入口ローラー及びスクイーズローラーに向かって同時に噴射されるものとなされていることが好ましい。
各ローラーに対応する洗浄水噴出口は、少なくとも１個は必要であるがもちろん複数であってもかわまない。
【００１０】
前記洗浄手段に対して一個の定量ポンプ又は電磁弁が設けられ、定量ポンプ又は電磁弁により前記パイプに送出された洗浄水が洗浄水噴出口から入口ローラー及びスクイーズローラーに向かって同時に噴射されるものとなされていることが好ましい。
【発明の効果】
【００１１】
この発明によれば、洗浄手段が、前記各感光材料搬送用ラックの上端部に配置される送り車の駆動軸の周囲に設けられると共に、前記入口ローラー及びスクイーズローラーに向かって洗浄水を噴射するものとなされているから、感光材料搬送用ラックの空きスペースに洗浄手段が合理的に設けられることになる。従って、感光材料搬送用ラック上方に配置されるクロスオーバーガイドの取り外し、メンテナンスの際に洗浄手段が邪魔になることがない。
【００１２】
また、入口ローラー及びスクイーズローラーに向かって噴射された洗浄水は、処理槽に落下するので、処理液の蒸発によるいわゆる蒸発補正も行え、処理液の濃縮化を防止できる。
【００１３】
前記洗浄手段が、駆動軸の外周を取り囲むように配置されたパイプ部と、該パイプの周面に設けられた入口ローラー及びスクイーズローラーに臨む少なくとも各１個の洗浄水噴出口とを備え、配管を通じて前記パイプ部に送出された洗浄水が入口ローラー及びスクイーズローラーに向かって同時に噴射されるものとなされている場合には、合理的にローラーを洗浄できる。
【００１４】
前記洗浄手段に対して一個の定量ポンプ又は電磁弁が設けられ、定量ポンプ又は電磁弁により前記パイプに送出された洗浄水が洗浄水噴出口から入口ローラー及びスクイーズローラーに向かって同時に噴射されるものとなされている場合には、比較的小さな力の定量ポンプ又は電磁弁を用いて洗浄水の噴射を行わしめ、ローラーの効率的な洗浄を可能とする。
【発明を実施するための最良の形態】
【００１５】
以下、この発明の好ましい実施形態を図面に基づいて説明する。
【００１６】
図１は、撮影済写真フィルムを現像する自動現像機（感光材料処理装置）の概略正面図を示すもので、現像、漂白、定着、安定用の各処理槽（DE）（DE）（BL）（FX）（FX）（ST）（ST）（ST）が横並びに配置され、各処理槽には感光材料搬送用ラックが配設されている。
【００１７】
図２及び図３においてその上部が図示されている前記感光材料搬送用ラック（４）は、処理槽（DE）…の処理液に浸かりきらない上端部に、入口ローラー（１）、スクイーズローラー（２）及び送り車の駆動軸（３）が配置され、所定の機構によりフィルム（Ｆ）を順次各処理槽に送出するものとなされている。
【００１８】
この感光材料搬送用ラック（４）は、従来の感光材料搬送用ラックと同様に、図示省略した駆動機構により駆動軸（３）が回転させられると、ギヤ（５）（５）を介して入口ローラー（１）が回転させられ、リーダーに先導された撮影済写真フィルムが搬送されるものである。このような搬送機構は従来公知であるので詳細な説明は省略する。
【００１９】
なお、図中（16）は、隣接する処理ラック間の上部に、両処理ラックに跨るように設置されたクロスオーバーガイドである。
【００２０】
而して、前記感光材料搬送用ラック（４）の上部には前記駆動軸（３）を包むように洗浄手段（10）のパイプ部（11）が設けられている。
【００２１】
パイプ部（11）は、送水管（12ａ）（12ｂ）…を介して補水タンク（13）に連結され、補水タンク（13）から、ポンプ（14）により汲み上げられた洗浄水が配水されるものである。図４は、補水タンク（13）からパイプ部（11）への洗浄水の配水の概略を説明するもので、パイプ部（11）…は、上から下に並んだ順に、図１に配置された現像、漂白、定着、安定用の各処理槽（DE）（DE）（BL）（FX）（FX）（ST）（ST）（ST）に対応する感光材料搬送用ラック（４）に配置されるものである。
【００２２】
而して、図４に示されるように、配管の途中に電磁弁（15）（15）…が配置されており、ポンプ（14）によって補水タンク（13）から汲み上げられた水は、所定の時期に電磁弁（15）（15）…が開放されて洗浄手段（10）のパイプ部（11）に送出されるものとなされている。
【００２３】
このような電磁弁（15）は一つのパイプ（11）に必ず１つ設けられていることが好ましいが、実施形態のように、複数のパイプ（11）、特に処理目的が同一の処理槽に対応する複数のパイプ（11）（11）…に電磁弁（15）が一つであっても良い。
【００２４】
パイプ部（11）に直結する送水管（12ａ）は、それ以前の送水管（12ｂ）（12ｃ）…より内径が細いものが用いられて、洗浄水がより高い圧力でパイプ部（11）に送水されるものとなされている。因みに、パイプ部（11）に直結する送水管（12ａ）は内径４ｍｍ、その他の送水管（12ｂ）（12ｃ）…の内径は９ｍｍに設定されている。
【００２５】
また、パイプ部（11）に直結する送水管（12ａ）は、メインテナンス時のクロスオーバーガイド（16）（16）の取り外しに支障をきたさないように、隣り合うクロスオーバーガイド（16）（16）の間に配置されている。
【００２６】
パイプ部（11）周壁には、ローラー（１）（２）に向かって斜め下向きの洗浄水噴出口（21）（22）が設けられている。これら洗浄水噴出口はローラー（１）（２）の斜め上方に位置しているが、ある程度の圧力がかけられてパイプ部（11）に送出された洗浄水は、斜め下向きに噴出して、ローラー（１）（２）にかかることになる。図３における洗浄水噴出口（21）（22）からローラー（１）（２）に向かう矢印は、洗浄水が噴射される方向を示すものである。
【００２７】
この洗浄水により、ローラー（１）（２）の表面に付着した処理液成分析出物が、ローラー（１）（２）表面から剥がされ、洗浄水と一緒に処理槽内に流れ落とされる。洗浄水が処理槽内に流れ落ちることにより、処理槽内にある処理液の水分蒸発分を補い、水分蒸発による処理液の濃縮化が防止される。
【図面の簡単な説明】
【００２８】
【図１】この発明に係る感光材料処理装置の一実施形態の概略正面図である。
【図２】同要部の概略正面図である。
【図３】同要部の縦断面図である。
【図４】同装置における洗浄水配管状態の模式図である。
【符号の説明】
【００２９】
１…入口ローラー
２…スクイーズローラー
３…駆動軸
４…感光材料搬送用ラック
10…洗浄手段
11…パイプ部
21、22…洗浄水噴出口
【図１】
2005181930.tif 000003
【図２】
2005181930.tif 000004
【図３】
2005181930.tif 000005
【図４】
2005181930.tif 000006